(57)【特許請求の範囲】
【請求項１】
中心軸線の周囲に向けて前記中心軸線から離れる放射状に放光する表示灯であって、
ベース部材と、
前記ベース部材に支持され、前記中心軸線の周囲に向けて前記中心軸線から離れる放射状に発光するように前記中心軸線まわりに環状に等間隔に並べて配置された複数の発光ダイオードと、
前記ベース部材に支持され、前記複数の発光ダイオードの主発光方向にそれぞれ対向するように前記中心軸線まわりに環状に並べて配置され、前記発光ダイオードからの入射光を前記主発光方向から周方向に離れる方向に導くことによって前記周方向の配光幅を広げる配光幅拡大部を有する複数のレンズとを含む、表示灯。
【請求項２】
各レンズが、前記発光ダイオードからの入射光を前記中心軸線に沿う方向に関して集光する集光部を中央部に有し、前記中央部の前記周方向の両端部に一対の前記配光幅拡大部を有する、請求項１に記載の表示灯。
【請求項３】
各レンズが、前記中央部の光軸を対応する前記発光ダイオードの前記主発光方向と整合させて配置されている、請求項２に記載の表示灯。
【請求項４】
３個〜８個の前記発光ダイオードが前記中心軸線まわりに等間隔で配置されている、請求項１〜３のいずれか一項に記載の表示灯。
【請求項５】
前記周方向に隣り合う一対の前記発光ダイオードに等しい電流を流して発光させたときに、前記一対のうちの一つの発光ダイオードの前記主発光方向に所定距離だけ離れた第１測定位置で測定される第１照度に対して、前記一対の発光ダイオードのそれぞれの主発光方向が成す角を二等分する中間方向に前記所定距離だけ離れた第２測定位置で測定される第２照度が、０．３倍〜３倍の範囲となるように、前記複数の発光ダイオードが配置されている、請求項１〜４のいずれか一項に記載の表示灯。
【請求項６】
前記複数の発光ダイオードの全てを発光状態としたときに、前記中心軸線まわりの全周にわたって前記複数の発光ダイオードから発せられる光が連続するように、前記複数の発光ダイオードの発光特性、前記複数の発光ダイオードの配置、および前記レンズの光学特性が設計されている、請求項１〜５のいずれか一項に記載の表示灯。
【請求項７】
前記レンズがフレネルレンズを含む、請求項１〜６のいずれか一項に記載の表示灯。
【請求項８】
前記複数のレンズを外方から覆い、前記発光ダイオードから発した光を前記中心軸線から離れる方向に透過させる筒状のグローブをさらに含み、前記グローブが前記発光ダイオードからの光を拡散させて透過させる拡散部を有している、請求項１〜７のいずれか一項に記載の表示灯。
【請求項９】
前記複数の発光ダイオードの発光を制御する制御ユニットをさらに含み、
前記制御ユニットが、前記複数の発光ダイオードを前記周方向の配列順に従って発光させ、且つ、配列順に従って消灯させるようにプログラムされている、請求項１〜８のいずれか一項に記載の表示灯。
【発明の詳細な説明】
【技術分野】
【０００１】
本発明は、機械設備、看板などに用いられる表示灯に関する。
【背景技術】
【０００２】
従来から、表示灯の光源として発光ダイオードを利用することが提案されている（例えば、特許文献１参照。）。特許文献１には、回転灯が記載されており、この回転灯は、発光ダイオードと、この発光ダイオードからの光を周囲に向けて放光するための回転可能な反射板と、この反射板を回転させるモータ等の駆動機構とを有する。
【先行技術文献】
【特許文献】
【０００３】
【特許文献１】実公平７−２２００５号公報
【発明の概要】
【発明が解決しようとする課題】
【０００４】
しかしながら、特許文献１の回転灯は、周囲全周からの高い視認性を得ることができるものの、反射板を回転させるための駆動機構を有するので、製造コストが高価であった。
そこで、本発明の一つの目的は、視認性が高く、かつ安価に製造可能な表示灯を提供することである。
【課題を解決するための手段】
【０００５】
前記の目的を達成するため、この発明は、中心軸線の周囲に向けて前記中心軸線から離れる放射状に放光する表示灯であって、ベース部材と、前記ベース部材に支持され、前記中心軸線の周囲に向けて前記中心軸線から離れる放射状に発光するように前記中心軸線まわりに環状に等間隔に並べて配置された複数の発光ダイオードと、前記ベース部材に支持され、前記複数の発光ダイオードの主発光方向にそれぞれ対向するように前記中心軸線まわりに環状に並べて配置され、前記発光ダイオードからの入射光を前記主発光方向から周方向に離れる方向に導くことによって前記周方向の配光幅を広げる配光幅拡大部を有する複数のレンズとを含む、表示灯を提供する。
【０００６】
この発明によれば、複数の発光ダイオードからの光は、放射状に放光され、対応するレンズの配光幅拡大部により、主発光方向から周方向に離れるように導かれる。従って、発光ダイオードからの光をそのまま周囲に向けて放光する場合と比べて、周囲における周方向のより広い範囲に光を到達させることができる。それにより、周囲全周からの高い視認性を得ることが可能となる。また、反射板を回転するための駆動機構を必要としないので、表示灯の製造コストを安価にできる。
【０００７】
また、この発明の一実施形態においては、各レンズが、前記発光ダイオードからの入射光を前記中心軸線に沿う方向に関して集光する集光部を中央部に有し、前記中央部の前記周方向の両端部に一対の前記配光幅拡大部を有する（請求項２）。この場合、発光ダイオードからの光は、レンズの中央部の集光部を透過することにより、中心軸線に沿う方向について集光される。従って、強い光を放射できるので、視認性が高められる。また、発光ダイオードからの光は、レンズの両端部の配光幅拡大部を通ることにより、周方向について主発光方向から遠い側へ向けて導かれる。それにより、隣り合う発光ダイオードの主発光方向の間の方向に光を導くことができるので、周囲全周からの高い視認性が得られる。
【０００８】
また、この構成において、各レンズが、前記中央部の光軸を対応する前記発光ダイオードの前記主発光方向と整合させて配置されてもよい（請求項３）。これにより、発光ダイオードの主発光方向に離れた外方の位置から表示灯を見るときの視認性を高めることができる。さらに、周囲全周にわたって高い視認性を得るための光学設計が容易になる。
また、この発明の一実施形態においては、３個〜８個の前記発光ダイオードが前記中心軸線まわりに等間隔で配置されている（請求項４）。この場合、使用する発光ダイオードの数を抑制しつつ、周囲全周から見たときの視認性を高めることができる。例えば、発光ダイオードは５個以上とするのが、全周からの高い視認性を得るのに好ましい。特に、５個または６個の発光ダイオードを用いる場合が、高い視認性を得つつ製造コストを抑制できて好ましい。
【０００９】
また、この発明の一実施形態においては、前記周方向に隣り合う一対の前記発光ダイオードに等しい電流を流して発光させたときに、前記一対のうちの一つの発光ダイオードの前記主発光方向に所定距離だけ離れた第１測定位置で測定される第１照度に対して、前記一対の発光ダイオードのそれぞれの主発光方向が成す角を二等分する中間方向に前記所定距離だけ離れた第２測定位置で測定される第２照度が、０．３倍〜３倍の範囲となるように、前記複数の発光ダイオードが配置されている（請求項５）。この場合、視認性のばらつきが周方向に関して小さいので、周囲全周からの視認性がより一層高められる。
【００１０】
また、この発明の一実施形態においては、前記複数の発光ダイオードの全てを発光状態としたときに、前記中心軸線まわりの全周にわたって前記複数の発光ダイオードから発せられる光が連続するように、前記複数の発光ダイオードの発光特性、前記複数の発光ダイオードの配置、および前記レンズの光学特性が設計されている（請求項６）。この場合、周囲全周からの視認性をより一層高めることができる。
【００１１】
また、この発明の一実施形態においては、前記レンズがフレネルレンズを含む（請求項７）。この場合、レンズを薄形にできるので、光の明るさを保つことで視認性を高めることができて、しかも製造コストの低減に寄与する。加えて、表示灯を小型かつ軽量に構成することができる。
また、この発明の一実施形態においては、前記複数のレンズを外方から覆い、前記発光ダイオードから発した光を前記中心軸線から離れる方向に透過させる筒状のグローブをさらに含み、前記グローブが前記発光ダイオードからの光を拡散させて透過させる拡散部を有している（請求項８）。この場合、周囲全周からの視認性をより一層高めることができる。
【００１２】
また、この発明の一実施形態においては、前記複数の発光ダイオードの発光を制御する制御ユニットをさらに含み、前記制御ユニットが、前記複数の発光ダイオードを前記周方向の配列順に従って発光させ、且つ、配列順に従って消灯させるようにプログラムされている（請求項９）。この場合、周囲から見ると、光が周方向に移動するように見え、回転灯と同様の視覚効果および高い視認性を得ることができる。このように、回転灯と同様の視覚効果を、発光ダイオードの発光の制御で実現できるので、従来の回転灯のような駆動機構を必要としない。従って、視認性が高く、かつ安価に製造可能な疑似回転灯を実現できる。特に、複数の発光ダイオードのうちで隣り合うもの同士の発光期間が一部重複するようにするのが、回転灯と同様の視覚効果を得るのに、好ましい。
【図面の簡単な説明】
【００１３】
【図１】本発明の一実施形態の表示灯の概略構成の正面図であり、主としてグローブの内部の構成を示す。
【図２】図１の表示灯の中心軸線に直交する横断面図である。
【図３】図３（ａ）は、前記表示灯に備えられたレンズおよび発光ダイオードの正面図であり、図３（ｂ）は、レンズおよび発光ダイオードの側面図であり、図３（ｃ）は、レンズおよび発光ダイオードの平面図である。
【図４】図４（ａ）は、第１測定位置Ｐ１近傍での配光特性例を示す特性図であり、横軸に、その中央の第１測定位置Ｐ１からの周方向Ｒの距離Ｌ１を示し、縦軸に照度を示す。図４（ｂ）は、第２測定位置Ｐ２近傍での配光特性例を示す特性図であり、横軸に、その中央の第２測定位置Ｐ２からの周方向Ｒの距離Ｌ２を示し、縦軸に照度を示す。
【図５】図５（ａ）は、前記表示灯に備えられた制御ユニットによる発光ダイオードへの通電電流波形例を示す波形図であり、図５（ｂ）は、通電電流波形の変形例を示す波形図である。
【発明を実施するための形態】
【００１４】
以下では、この発明の実施の形態を、添付図面を参照して詳細に説明する。
図１は、本発明の一実施形態の表示灯１の概略構成の正面図であり、主としてグローブ７の内部の構成が示されている。図２は、図１の表示灯１の中心軸線Ｃに直交する横断面図である。
表示灯１は、回転体形状、例えば、略円柱形をなしており、中心軸線Ｃを有している。表示灯１は、例えば、中心軸線Ｃが上下方向に沿うように設置され、その外周面に、光を発する発光部２を有している。発光部２は、周方向Ｒの全周にわたって連続しており、中心軸線Ｃの周囲に向けて中心軸線Ｃから離れる放射状に放光する。
【００１５】
表示灯１の設置態様は、特に限定されないが、以下では、便宜上、中心軸線Ｃが上下方向に沿うように設置される場合に則して説明する。
表示灯１は、ベース部材３と、ベース部材３に回路基板４を介して支持される複数の発光ダイオード５と、複数の発光ダイオード５にそれぞれ対応して設けられた複数のレンズ６と、グローブ７とを含む。グローブ７は、複数の発光ダイオード５および複数のレンズ６を外方から覆う筒状、例えば、カップ形をなす透光性の部材である。グローブ７は、発光ダイオード５から発した光を中心軸線Ｃから離れる方向（径方向外方）に透過させる。
【００１６】
この実施形態では、発光ダイオード５からの光をレンズ６に向かうように反射させる反射面は設けられていない。
すなわち、複数の発光ダイオード５は、中心軸線Ｃの周囲に向けて中心軸線Ｃから離れる放射状に発光するように中心軸線Ｃまわりに環状に等間隔に並べて配置されている。各発光ダイオード５は、主発光方向Ｘに光を最も強く発光することができるようになっている。各発光ダイオード５は、主発光方向Ｘが中心軸線Ｃに関する径方向（中心軸線Ｃと直交する方向）に沿うように配置されている。
【００１７】
複数のレンズ６は、ベース部材３に支持され、複数の発光ダイオード５の主発光方向Ｘにそれぞれ対向するように中心軸線Ｃまわりに環状に並べて配置されている。各レンズ６は、フレネルレンズであり矩形の平板状をなしている。
この実施形態では、複数の発光ダイオード５の構成は同等である。また、この実施形態では、複数のレンズ６の構成は同等である。発光ダイオード５とレンズ６とは互いに対応させて同数で、例えば、それぞれ６個が用いられており、互いに対応する発光ダイオード５とレンズ６との複数組は、同等の位置関係で配置されている。
【００１８】
互いに隣接するレンズ６の間には光を遮る遮光部材は設けられておらず、各レンズ６には、対応する発光ダイオード５からの光の他に、隣接する発光ダイオード５からの光が入射できるようになっている。また、各レンズ６の周方向Ｒについての端部同士は、互いに隣接しており、発光部２が連続できるように各レンズ６が配置されている。これらによっても、周方向Ｒについてのレンズ６の端部を通った光の視認性が高められている。
【００１９】
また、グローブ７は、発光ダイオード５からの光を拡散させて透過させる拡散部１６を有している。拡散部１６は、グローブ７の内面に形成された複数の突条により構成されている。突条は、中心軸線Ｃが延びる方向に、例えば、グローブ７の内周面の母線に沿って延びている。拡散部１６を設けることにより、周囲全周からの視認性がより一層高められている。
【００２０】
この実施形態の表示灯１は、複数の発光ダイオード５の発光を制御する制御ユニット８によって制御される。制御ユニット８は、表示灯１に内蔵または付属されてもよいし、表示灯１外の別の装置に備えられてもよい。
制御ユニット８は、各発光ダイオード５に電気的に接続されている。制御ユニット８は、マイクロコンピュータを含み、予め記憶されたプログラムに従って、各発光ダイオード５への電力供給を制御することができる。制御ユニット８は、任意の発光ダイオード５の点灯および消灯を任意のタイミングで自在に制御する制御するようにプログラム可能である。
【００２１】
例えば、制御ユニット８は、複数の発光ダイオード５を、周方向Ｒの配列順に従って発光させ、且つ、配列順に従って消灯させるようにプログラムされていてもよい。この場合、周囲から見ると、発光部２からの光が周方向Ｒに移動するように見え、回転灯と同様の視覚効果および高い視認性を得ることができる。
また、制御ユニット８は、所定の発光ダイオード５の点灯および消灯を制御することで、発光部２の全体または一部を所望のタイミングで点滅させることができる。
【００２２】
複数の発光ダイオード５を用いて、発光部２が移動するように見えるようにする場合、各発光ダイオード５に対応する発光部２が互いに離れていると、回転灯のような視覚効果が得られ難い。そこで、本実施形態では、各発光ダイオード５に対応する発光部２が互いに近接させて配置されており、それにより、回転灯に近似した視覚効果が得られるようにしている。
【００２３】
図３（ａ）は、レンズ６および発光ダイオード５の正面図であり、図３（ｂ）は、レンズ６および発光ダイオード５の側面図であり、図３（ｃ）は、レンズ６および発光ダイオード５の平面図である。
各レンズ６は、中央部１１と、この中央部１１に対して周方向Ｒの両側にそれぞれ隣接した両端部１２と、中央部１１および両端部１２を取り囲む周囲部１３とを有する一体の光学部品である。中央部１１は、正面視で横長の長方形をなしており、両端部１２は、正面視で半円形をなしている。中央部１１および両端部１２は、入射光の向きに対して出射光の向きを変えることができる有効開口を形成している。この有効開口は、横長形状の長円形をなしている。レンズ６の光軸Ｓは、中央部１１の中心を通っている。なお、周囲部１３は、入射光の向きに対して出射光の向きを変えない。
【００２４】
中央部１１は、発光ダイオード５からの入射光を中心軸線Ｃに沿う方向に関して集光する集光部として機能する。それにより、中央部１１を通った光は、中心軸線Ｃに直交する方向、すなわち水平方向に導かれる。その一方で、中央部１１は、発光ダイオード５からの入射光を主発光方向Ｘから周方向Ｒに離れる方向に導くことによって周方向Ｒの配光幅を広げる配光幅拡大部としても機能する。それにより、中央部１１を通った光の放射角が、広げられる。このように、中央部１１は、いわゆる楕円配光特性を有しており、中心軸線Ｃに沿う方向の配光特性と、周方向Ｒに沿う方向の配光特性とが異なっている。ただし、中央部１１は、周方向Ｒに関して配光幅を広げる機能を有していなくてもよい。
【００２５】
両端部１２は、発光ダイオード５からの入射光を主発光方向Ｘから周方向Ｒに離れる方向に導くことによって周方向Ｒの配光幅を広げる配光幅拡大部として機能する。両端部１２は、中心軸線Ｃに沿う方向に関する集光機能を併せて有していてもよいし、このような集光機能を有していなくてもよい。
中央部１１および両端部１２を有するレンズ６は、全体として、いわゆる楕円配光特性を実現する。より具体的には、図３（ｂ）に示すように、発光ダイオード５からの光は、レンズ６の集光部としての中央部１１を透過することにより、周方向Ｒに広げられつつ、中心軸線Ｃに沿う方向について集光されて、中心軸線Ｃに直交する方向（水平方向）に向かう。従って、表示灯１を真横から見るときの視認性を高めることができる。
【００２６】
一方、図３（ｃ）に示すように、発光ダイオード５からの光は、レンズ６の配光幅拡大部としての中央部１１および両端部１２を通ることにより、周方向Ｒについて主発光方向Ｘから遠い側へ向けて導かれる。こうして配光幅が広げられるので、周囲全周から見たときの高い視認性を得るのに寄与する。
このように本実施形態によれば、各発光ダイオード５から放射状に放光される光は、対応するレンズ６の中央部１１および両端部１２の配光幅拡大機能により主発光方向Ｘから周方向Ｒに離れるように導かれ、その一方で、少なくとも中央部１１の集光機能によって回転軸線Ｃに沿う方向の集光を受ける。従って、発光ダイオード５からの光をそのまま周囲に向けて放光する場合と比べて、周方向Ｒのより広い範囲に光を到達させることができる。それにより、周囲全周から見たときの高い視認性を得ることが可能となる。また、レンズ６がフレネルレンズであることにより、レンズ６を薄形にできるので、光の明るさを保つことで視認性を高めることができて、しかも製造コストの低減に寄与する。加えて、レンズ６が薄型であるので、表示灯１を小型に構成できる。
【００２７】
また、従来の回転灯のような駆動機構を要しないので、表示灯１の製造コストを安価にできる。また、駆動機構を備えていないことによって、表示灯１の寿命を長くできる。
また、この実施形態では、各レンズ６が、中央部１１の光軸Ｓを対応する発光ダイオード５の主発光方向Ｘと整合させて、すなわち光軸Ｓを主発光方向Ｘに概ね一致するようにして配置されている。これにより、発光ダイオード５の主発光方向Ｘに離れた外方の位置から表示灯１を見るときの視認性を高めることができる。周囲全周にわたって高い視認性を得るための光学設計が容易になる。
【００２８】
また、この実施形態においては、図２に示すように、６個の発光ダイオード５が中心軸線Ｃまわりに配置されている。この発光ダイオード５の個数は限定されるものではないが、３個〜８個の発光ダイオード５が中心軸線Ｃまわりに等間隔で配置されているのが、好ましい。３個〜８個の場合、使用する発光ダイオード５の数を抑制しつつ、周囲全周から見たときの視認性を高めることができる。さらにいえば、発光ダイオード５は５個以上とするのが、高い視認性を得るのにより好ましい。特に、５個または６個の発光ダイオード５を用いる場合が、高い視認性を得つつ製造コストを抑制できて好ましい。
【００２９】
回転灯に近似した視覚的効果を実現するためには、中心軸線Ｃのまわりのいずれの方向から見たときにも少なくとも３個の発光ダイオードからの光が観測可能であるように複数個の発光ダイオードが環状に等間隔で配置されることが好ましい。そのためには、少なくとも５個、好ましくは６個以上の発光ダイオードを中心軸線Ｃのまわりに等間隔に配置することが好ましい。
【００３０】
図４（ａ）は、図２に示す第１測定位置Ｐ１近傍での配光特性例を示す特性図であり、横軸に、その中央の第１測定位置Ｐ１からの周方向Ｒの距離Ｌ１を示し、縦軸に照度を示す。すなわち、図４（ａ）は、第１測定位置Ｐ１を含み、主発光方向Ｘに直交する測定平面Ｍ１上の照度の測定値をプロットしたものである。同様に、図４（ｂ）は、図２に示す第２測定位置Ｐ２近傍での配光特性例を示す特性図であり、横軸に、その中央の第２測定位置Ｐ２からの周方向Ｒの距離Ｌ２を示し、縦軸に照度を示す。すなわち、図４（ｂ）は、第２測定位置Ｐ２を含み中間方向Ｙに直交する測定平面Ｍ２上の照度の測定値をプロットしたものである。
【００３１】
表示灯１の設計に際しては、一つの発光ダイオード５の主発光方向Ｘに中心軸線Ｃから所定距離だけ離れた第１測定位置Ｐ１で第１照度Ｄ１を測定する。次に周方向Ｒに隣り合う一対の発光ダイオード５に互いに等しく、且つ前記第１照度Ｄ１を測定した際の電流と等しい電流を流して発光させ、一対の発光ダイオード５のそれぞれの主発光方向Ｘが成す角を二等分する中間方向Ｙに中心軸線Ｃから同じ距離だけ離れた第２測定位置Ｐ２で第２照度Ｄ２を測定する。これらの測定結果に基づいて、第１照度Ｄ１に対して第２照度Ｄ２が、０．３倍〜３倍の範囲内になるように、具体的には、より好ましい範囲である０．５倍〜２倍の範囲となるように、複数の発光ダイオード５の配置が設計されている。
【００３２】
第１照度Ｄ１に対して第２照度Ｄ２が０．３倍〜３倍の範囲内にあれば、周方向Ｒに関する視認性のばらつきが小さいので、周囲全周からの視認性を高めることができる。
さらに、この実施形態においては、複数の発光ダイオード５の全てを発光状態としたときに、中心軸線Ｃまわりの全周にわたって複数の発光ダイオード５から発せられる光が連続するように、複数の発光ダイオード５の発光特性、複数の発光ダイオード５の配置、およびレンズ６の光学特性が設計されている。この場合、周囲全周からの視認性をより一層高めることができる。
【００３３】
より具体的には、この実施形態では、レンズ６の配光幅拡大機能と、レンズ６に対応する発光ダイオード５の配置とにより、第１照度Ｄ１に対して第２照度Ｄ２が０．３倍〜３倍の範囲内にある条件が充足されている。さらにまた、レンズ６の配光幅拡大機能と、レンズ６に対応する発光ダイオード５の配置とにより、複数の発光ダイオード５の全てを発光状態としたときに発光部２が周方向Ｒに連続する連続帯状発光部として視認される条件が実現されている。
【００３４】
図５（ａ）は、制御ユニット８による発光ダイオード５への通電電流波形例を示す波形図であり、図５（ｂ）は、通電電流波形の変形例を示す波形図であり、ともに、横軸に時間を示し、縦軸に電流値を示す。また、図５（ａ）および図５（ｂ）には、周方向に順に並んだ６個の発光ダイオード５の通電電流波形が、太実線、細実線、太破線、細破線、太一点鎖線、細一点鎖線でそれぞれ図示されている。
【００３５】
図５（ａ）および図５（ｂ）のいずれの通電電流波形例においても、複数の発光ダイオード５は、周方向の配列順に通電される。図５（ａ）および図５（ｂ）の波形例では、台形状の波形を成すように各発光ダイオード５への通電が行われる。すなわち、各発光ダイオード５の通電電流は、一定値まで漸次的に立ち上がってその一定値に所定時間だけ保持された後、漸次的に零まで減少する。図５（ａ）の通電電流波形は、台形波形の裾の部分が広くなっている。これに対して、図５（ｂ）の通電電流波形は、リニア増加／減少する斜辺を有する台形波形となっている。これらの波形は例に過ぎず、この他にも、種々の波形が考えられる。
【００３６】
このように、制御ユニット８は、複数の発光ダイオード５を周方向Ｒの配列順に従って発光させ、且つ、配列順に従って消灯させるようにプログラムされている。これにより、回転灯と同様の視覚効果および高い視認性を実現でき、いわば擬似回転灯として動作する表示灯を提供できる。このように、回転灯と同様の視覚効果を、発光ダイオード５の発光の制御で実現できるので、反射板を回転させるための駆動機構を必要としない。従って、視認性が高くて安価な表示灯１を実現できる。
【００３７】
図５（ａ）および図５（ｂ）の波形例のように、複数の発光ダイオード５のうちで隣り合うもの同士の発光期間が一部重複するようにするのが、回転灯と同様の視覚効果を得るのに、好ましい。図５（ａ）および図５（ｂ）の波形例では、台形波形の斜線領域が隣り合うもの同士で重なり合って、この重なり部分の期間においては、２つの発光ダイオード５が同時に発光する。それにより、発光強度の変動を抑制しながら、一つの発光ダイオード５の主発光方向から隣の発光ダイオード５の主発光方向へと、発光方向が連続的に変化するかのような視覚的効果が生じる。
【００３８】
この実施形態について、以下のような変形例を考えることができる。以下の説明では、前述の実施形態と異なる点を中心に説明する。
例えば、前述の実施形態では、レンズ６は、中央部１１と両端部１２が周方向Ｒに並ぶように配置されていたが、これには限らず、中心軸線Ｃが延びる方向に平行に並ぶように配置されていてもよい。また、レンズ６の中央部１１が配光幅拡大機能を有する例を説明したが、中央部１１は配光幅拡大機能を有しなくてもよい。同様に、中央部１１が中心軸線Ｃに沿う方向に関する集光機能を有する例を説明したが、中央部１１はこのような集光機能を有しなくてもよい。また、両端部１２がない構成や周囲部１３がない構成のレンズが用いられてもよい。また、レンズ６がフレネルレンズ以外の構造であってもよい。このようにレンズ６の具体的な構成や形状や配置の態様は、種々考えられる。要は、レンズ６が配光幅拡大部を有していればよい。
【００３９】
また、前述の実施形態では、発光ダイオード５からの光をレンズ６に向かうように反射させる反射面は設けられていないが、このような反射面を設けてもよい。この場合でも、反射面を駆動する駆動機構を設けることなく、複数の発光ダイオード５の発光制御によって、擬似回転灯としての機能を有する表示灯を提供できる。
また、前述の実施形態では、主として、擬似回転灯としての動作を説明したが、たとえば、複数の発光ダイオード５を同時に点灯／消灯することによって、中心軸線Ｃのまわりの全周に対して点滅光を放射するフラッシュ動作を行わせることもできる。その他、複数の発光ダイオード５の発光制御については、とくに限定されるものではない。
【００４０】
その他、特許請求の範囲に記載された事項の範囲で種々の設計変更を施すことが可能である。
【符号の説明】
【００４１】
１  表示灯
３  ベース部材
５  発光ダイオード
６  レンズ（フレネルレンズ）
７  グローブ
８  制御ユニット
１１  中央部（配光幅拡大部、集光部）
１２  両端部（配光幅拡大部）
１６  拡散部
Ｃ  中心軸線
Ｄ１  第１照度
Ｄ２  第２照度
Ｐ１  第１測定位置
Ｐ２  第２測定位置
Ｒ  周方向
Ｓ  光軸
Ｘ  主発光方向
Ｙ  中間方向
【図１】
0006376399.tif 000002
【図２】
0006376399.tif 000003
【図３】
0006376399.tif 000004
【図４】
0006376399.tif 000005
【図５】
0006376399.tif 000006